(57)【要約】【課題】  複数の多角形パネルの連結作業を簡単、容易にできるパネルユニットを提供する。【解決手段】  パネルユニットＰＵ２は、複数の矩形パネルＰ３〜Ｐ１１及び複数の連結軸Ｓ，Ｓ，…を有し、各矩形パネルＰ３〜Ｐ１１でパネル立方体１０１を構成する。各矩形パネルＰ４〜Ｐ１１は、各側端面１Ａ〜１Ｄに配列した各連結リングＲＡ〜ＲＤの連結穴６同士を対向して、各矩形パネルＰ１〜Ｐ１１間にリング整列群ＲＧ２〜ＲＧ１７を形成する。各連結軸Ｓ，Ｓ，…は、各リング整列群ＲＧ２〜ＲＧ１７を構成する各連結リングＲＡ〜ＲＤの連結穴６を挿通して、各矩形パネルＰ３〜Ｐ１１を旋回自在に連結すると共に、各矩形パネルＰ３〜Ｐ１１をパネル直方体１０１に保持する。【選択図】  図５
2014097035.tif 000002
【特許請求の範囲】
【請求項１】
左右側面、天井面、底面及び背面でなるパネル直方体を構成するパネルユニットであって、
複数の側端面で矩形外縁を形成するパネル本体、及び複数の連結リングを有し、前各連結リングを前記各側端面に沿って複数配列して、前記パネル本体に保持する、複数の矩形パネルと、
前記各連結リングに挿通される、複数の連結軸と、
を含んで構成され、
前記各連結リングは、
連結穴を有し、前記連結穴の穴中心線を前記各側端面に平行する直線に位置して、前記各側端面の両端点間で等間隔を隔てて配列し、
前記連結穴は、
前記穴中心線に沿って前記連結リングを挿通し、
前記複数の矩形パネルは、
前記左右側面、前記天井面、前記底面及び前記背面を構成し、
前記各側端面に配列した前記各連結リングの連結穴同士を対向して、前記各矩形パネル間にリング整列群を形成し、
前記複数の連結軸は、
前記各リング整列群を構成する前記各連結リングの連結穴を挿通して、前記左右側面、前記天井面、前記底面及び前記背面の前記各矩形パネルを旋回自在に連結すると共に、前記各矩形パネルを前記パネル直方体に保持する
ことを特徴とするパネルユニット。
【請求項２】
複数の側端面で矩形外縁を形成するパネル本体、及び複数の連結リングを有し、前記連結リングを相互に平行する一対の各平行側端面に沿って複数配列して、前記パネル本体に保持する、複数の矩形パネルと、
前記各連結リングに挿通される、複数の連結軸と、
を含んで構成され、
前記各連結リングは、
連結穴を有し、前記連結穴の穴中心線を前記各平行側端面に平行する直線に位置して、前記各平行側端面の両端点間で等間隔を隔てて配列し、
前記連結穴は、
前記穴中心線に沿って前記連結リングを挿通し、
前記複数の矩形パネルは、
連続並設され、
前記一の平行側端面に配列した前記各連結リングの連結穴、及び前記他の一の平行側端面に配列した前記各連結リングの連結穴同士を対向して、前記各矩形パネル間にリング整列群を形成し、
前記複数の連結軸は、
前記各リング整列群を構成する前記各連結リングの連結穴を挿通して、前記連続並設した各矩形パネルを旋回自在に連結する
ことを特徴とするパネルユニット。
【請求項３】
前記各連結軸は、
地中に打ち込まれて、前記連続並設した各矩形パネルを地面に立設する
ことを特徴とする請求項２に記載のパネルユニット。
【請求項４】
複数の側端面で矩形外縁を形成するパネル本体、複数の連結リングを有し、前記連結リングを前記側端面に沿って複数配列し、前記パネル本体に保持する、一の矩形パネル及び他の一の矩形パネルと、
前記各連結リングに挿入される、連結軸と、
を含んで構成され、
前記各連結リングは、
連結穴を有し、前記連結穴の穴中心線を前記側端面に平行する直線に位置して、前各側端面の両端点間で等間隔を隔てて配列し、
前記連結穴は、
前記穴中心線に沿って前記連結リングを挿通し、
前記一の矩形パネル、及び前記他の一の矩形パネルは、
連続並設され
前記側端面に配列した前記各連結リングの連結穴同士を対向して、前記各矩形パネル間にリング整列群を形成し、
前記連結軸は、
前記リング整列群を構成する前記各連結リングの連結穴を挿通して、前記一の矩形パネル及び前記他の矩形パネルを旋回自在に連結する
ことを特徴とするパネルユニット。
【請求項５】
複数の側端面で多角形外縁を形成するパネル本体、複数の連結リングを有し、前記各連結リングを前記側端面に沿って複数配列して、前記パネル本体に保持する、一の多角形パネル及び他の一の多角形パネルと、
前記各連結リングに挿入される、連結軸と、
を含んで構成され、
前記各連結リングは、
連結穴を有し、前記連結穴の穴中心線を前記側端面に平行する直線に位置して、前記側端面の両端点間で等間隔を隔てて配列し、
前記連結穴は、
前記穴中心線に沿って前記連結リングを挿通し、
前記一の多角形パネル、及び前記他の一の多角形パネルは、
連続並設され
前記側端面に配列した前記各連結リングの連結穴同士を対向して、前記各多角形パネル間にリング整列群を形成し、
前記連結軸は、
前記リング整列群を構成する前記各連結リングの連結穴を挿通して、前記一の多角形パネル及び前記他の多角形パネルを旋回自在に連結する
ことを特徴とするパネルユニット。
【発明の詳細な説明】
【技術分野】
【０００１】
本発明は、住宅等の建造物、獣類捕獲罠等に使用するパネル直方体、又はパネル柵、獣類囲い罠等に使用するパネルユニットに関する。
【背景技術】
【０００２】
パネルユニットの技術として、特許文献１は、複数の棚ユニットを連結コイルで連結する獣類捕獲罠を開示する。各棚ユニットは、矩形に形成され、複数本の縦鉄線及び横鉄線を格子配列して構成される。
【０００３】
しかし、特許文献１において、各棚ユニットの連結は、各棚ユニットの連結鉄筋線（縦鉄線）に連結コイルを巻き付ける必要があり、各横鉄線を迂回しつつ各連結鉄線に連結コイルを巻き付けることは容易でなく、各棚ユニットの連結作業が煩雑となる。
【先行技術文献】
【特許文献】
【０００４】
【特許文献１】実用新案登録第３１７２０５７号公報
【発明の概要】
【発明が解決しようとする課題】
【０００５】
本発明は、複数の多角形パネルの連結作業が簡単、容易にできるパネルユニットを提供することにある。
【課題を解決するための手段】
【０００６】
本発明に係る請求項１は、左右側面、天井面、底面及び背面でなるパネル直方体を構成するパネルユニットであって、複数の側端面で矩形外縁を形成するパネル本体、及び複数の連結リングを有し、前記連結リングを前記各側端面に沿って複数配列して、前記パネル本体に保持する、複数の矩形パネルと、前記各連結リングに挿通される、複数の連結軸と、を含んで構成され、前記各連結リングは、連結穴を有し、前記連結穴の穴中心線を前記各側端面に平行する直線に位置して、前記各側端面の両端点間で等間隔を隔てて配列し、前記連結穴は、前記穴中心線に沿って前記連結リングを挿通し、前記複数の矩形パネルは、前記左右側面、前記天井面、前記底面及び前記背面を構成し、前記各側端面に配列した前記各連結リングの連結穴同士を対向して、前記各矩形パネル間にリング整列群を形成し、前記複数の連結軸は、前記各リング整列群を構成する前記各連結リングの連結穴を挿通して、前記各矩形パネルを旋回自在に連結すると共に、前記各矩形リングを前記パネル直方体に保持することを特徴とするパネルユニットに関する。
【０００７】
本発明に係る請求項２は、複数の側端面で矩形外縁を形成するパネル本体、及び複数の連結リングを有し、前記連結リングを相互に平行する一対の各平行側端面に沿って複数配列して、前記パネル本体に保持する、複数の矩形パネルと、前記各連結リングに挿通される、複数の連結軸と、を含んで構成され、前記各連結リングは、連結穴を有し、前記連結穴の穴中心線を前記各平行側端面に平行する直線に位置して、前記各平行側端面の両端点間で等間隔を隔てて配列し、前記連結穴は、前記穴中心線に沿って前記連結リングを挿通し、前記複数の矩形リングは、連続並設され、前記一の平行側端面に配列した前記各連結リングの連結穴、及び前記他の一の平行側端面に配列した前記各連結リングの連結穴同士を対向して、前記各矩形パネル間にリング整列群を形成し、前記複数の連結軸は、前記各リング整列群を構成する前記各連連結リングの連結穴を挿通して、前記連続並設した各矩形パネルを旋回自在に連結することを特徴とするパネルユニットに関する。
【０００８】
本発明に係る請求項３は、前記各連結軸は、地中に打ち込まれて、前記連続並設した各矩形パネルを地面に立設することを特徴とする請求項２に記載のパネルユニット。
【０００９】
本発明に係る請求項４は、複数の側端面で矩形外縁を形成するパネル本体、及び複数の連結リングを有し、前記連結リングを前記側端面に沿って複数配列して、前記パネル本体に保持する、一の矩形パネル及び他の一の矩形パネルと、前記各連結リングに挿通される、連結軸と、を含んで構成され、前記各連結リングは、連結穴を有し、前記連結穴の穴中心線を前記側端面に平行する直線に位置して、前記側端面の両端点間で等間隔を隔てて配列し、前記連結穴は、前記穴中心線に沿って前記連結リングを挿通し、前記一の矩形パネル、及び前記他の一の矩形パネルは、連続並設され、前記側端面に配列した前記各連続リングの連続穴同士を対向して、前記各矩形パネル間にリング整列群を形成し、前記連結軸は、前記リング整列群を構成する前記各連結リングの連結穴を挿通して、前記一の矩形パネル、及び前記他の一の矩形パネルを旋回自在に連結することを特徴とするパネルユニットに関する。
【００１０】
本発明に係る請求項５は、複数の側端面で多角形外縁を形成するパネル本体、及び複数の連結リングを有し、前記連結リングを前記側端面に複数配列して、前記パネル本体に保持する、多角形パネルと、前記連結リングに挿通される、連結軸と、を含んで構成され、前記各連結リングは、連結穴を有し、前記連結穴の穴中心線を前記側端面に平行する直線に位置して、前記側端面の両側点間で等間隔を隔てて配列し、前記連結穴は、前記穴中心線に沿って前記連結リングを挿通し、前記一の多角形パネル、及び前記他の一の多角形パネルは、連続並設され、前記側端面に配列した前記連結リングの連結穴同士を対向して、各多角形パネル間にリング整列群を形成し、前記連結軸は、前記リング整列群を構成する前記各連結リングの連結穴を挿通して、前記一の多角形パネル、及び前記他の一の多角形パネルを旋回自在に連結することを特徴とするパネルユニットに関する。
【発明の効果】
【００１１】
本発明に係る請求項１では、複数の矩形パネルを並設して、パネル直方体の左右側面、天井面、底面及び背面を形成する。
左側面、天井面、底面及び背面の各矩形パネルは、各側端面に配列した各連結リングの連結穴同士を対向して、各矩形パネル間にリング整列群を形成する。リング整列群は、各矩形パネル間の各連結リングを直線に整列して構成する。複数の連結軸は、各矩形パネル間に形成される各リング整列群の連結穴に挿通する。
各矩形パネルは、各リング整列群において、連結軸で連結され、パネル直方体に構成される。各連結軸で各矩形パネルを連結すると、各連結軸は各矩形パネルをパネル直方体に保持する。
これにより、各矩形パネルは、各リング整列群を構成する各連結リングの連結穴に連結軸を挿通するだけで、相互に連結でき、パネル直方体を構成できる。各矩形パネルの連結作業を簡単、容易にできる。
また、矩形パネルの連結数を適宜選択することで、容積の異なるパネル直方体を構成できる。なお、パネル直方体には、パネル立方体も含まれる。
【００１２】
本発明に係る請求項２では、複数の矩形パネルにおいて、一の平面側端面に配列した連結リングの連結穴、及び他の一の平行側端面に配列した連結同士を対向して、各矩形パネル間にリング整列群を形成する。複数の連結軸は、各矩形パネル間に形成される各リング整列群（複数のリング整列群）を構成する各連結リングの連結穴に挿通する。
各矩形パネルは、各リング整列群において、連結軸で連結され、各平行側端面に直交する方向に連続して並設される。
これにより、各矩形パネルは、各リング整列群を構成する各連結リングの連結穴に連結軸を挿通するだけで、相互に連結でき、複数の矩形パネルを連続並設できる。各矩形パネルの連結作業を簡単、容易にできる。
【００１３】
本発明に係る請求項３では、複数の矩形パネルを地面に立設することで、連続パネル柵、獣類囲い罠を構成できる。
各矩形パネルは、各連結軸で連結すると、各連結軸を旋回中心として旋回できる。これにより、各矩形パネルを線各することで、任意の柵外縁を形成しつつ地面を区画できる。
【００１４】
本発明に係る請求項４では、一の矩形パネル、及び他の一の矩形パネルにおいて、側端面に配列した連結リングの連結穴同士を対向して、各矩形パネル間にリング整列群を形成する。連結軸は、リング整列群を構成する各連結リングの連結穴に挿通する。
これにより、一の矩形パネル及び他の一の矩形パネルは、リング整列群を構成する各連結リングの連結穴に連結軸を挿通するだけで、連結される。
また、一の矩形パネル、及び他の一の矩形パネルは、連結軸によって旋回自在連結されるので、連結軸を旋回中心として角度３６０°の範囲で旋回できる。これにより、各矩形パネルは、相互に任意角度を隔てて並設できる。一の矩形パネル及び他の一の矩形パネルの連結作業を簡単、容易にできる。
矩形パネルにおいて、パネル本体は、正方形外縁、長方形外縁等の四角形外縁である。
【００１５】
本発明に係る請求項５では、一の多角形パネル、及び他の一の多角形パネルにおいて、側端面に配列した連結リングの連結穴同士を対向して、各多角形パネル間にリング整列群を形成する。連結軸は、リング整列群を構成する各連結リングの連結穴に挿通する。
これにより、一の多角形パネル及び他の一の多角形パネルは、リング整列群を構成する各連結リングの連結穴に連結軸を挿通するだけで、連結される。
また、一の多角形パネル、及び他の一の多角形パネルは、連結軸によって旋回自在連結されるので、連結軸を旋回中心として角度３６０°の範囲で旋回できる。これにより、各多角形パネルは、相互に任意角度を隔てて並設できる。一の多角形パネル及び他の一の多角形パネルの連結作業を簡単、容易にできる。
多角形パネルにおいて、パネル本体は、Ｎ角形外縁（Ｎ＝３，４，５，…、Ｎ：自然数）である。多角形パネルは、例えば、三角形パネル、矩形パネル、五角形パネル等である。
一の多角形パネルは、例えば、三角形パネルで構成し、他の一の多角形パネルは、例えば矩形パネルで構成する等、各多角形パネルにおいて異なる角数のパネルとすることもできる。
【図面の簡単な説明】
【００１６】
【図１】第１実施形態のパネルユニットを示す正面図である。
【図２】第１実施形態のパネルユニットを構成する矩形パネルを示す正面図である。
【図３】第１実施形態のパネルユニットを構成する矩形パネルを示す図であって、（ａ）は図２のＢ−Ｂ矢視図、（ｂ）は図２のＣ−Ｃ矢視図である。
【図４】第１実施形態のパネルユニットを示す図であって、図１のＡ−Ａ矢視図である。
【図５】第２実施形態のパネルユニットを獣類捕獲罠に適用した正面図である。
【図６】第２実施形態のパネルユニットを獣類捕獲罠に適用した図であって、開閉扉を開いた状態の正面図である。
【図７】第２実施形態のパネルユニットを獣類捕獲罠に適用した背面図である。
【図８】第２実施形態のパネルユニットを獣類捕獲罠に適用した左側面図である。
【図９】第２実施形態のパネルユニットを獣類捕獲罠に適用した右側面図である。
【図１０】第２実施形態のパネルユニットを獣類捕獲罠に適用した底面図である。
【図１１】第２実施形態のパネルユニットを獣類捕獲罠に適用した井面図である。
【図１２】第３実施形態のパネルユニットを示す正面図である。
【図１３】第３実施形態のパネルユニットを構成する格子パネル本体の正面図である。
【図１４】第３実施形態のパネルユニットを構成する格子パネル本体の図であって、（ａ）は図１３のＥ−Ｅ矢視図、（ｂ）は図１３のＦ−Ｆ矢視図である。
【図１５】第３実施形態のパネルユニットを構成する格子パネル本体の図であって、（ａ）は図１３のＧ−Ｇ矢視図、（ｂ）は図１３のＨ−Ｈ矢視図である。
【図１６】第３実施形態のパネルユニットを構成する矩形パネルの正面図である。
【図１７】第３実施形態のパネルユニットを構成する矩形パネルを示す図であって、（ａ）は図１６のＩ−Ｉ矢視図、（ｂ）は図１６のＪ−Ｊ矢視図である。
【図１８】第３実施形態のパネルユニットを示す図であって、図１２のＤ−Ｄ矢視図である。
【図１９】第４実施形態のパネルユニットを示す平面図である。
【図２０】第４実施形態のパネルユニットを示す図であって、図１９のＫ−Ｋ矢視図である。
【図２１】第１実施形態のパネルユニットを構成する矩形パネルの変形例を示す正面図である。
【図２２】多角形パネルとして、三角形パネルを示す正面図である。
【発明を実施するための形態】
【００１７】
第１及び第４実施形態のパネルユニットについて、図１乃至図２２を参照して説明する。
【００１８】
＜第１実施形態＞
第１実施形態のパネルユニットＰＵ１（以下、「パネルユニットＰＵ１」と称する。）について、図1乃至図４を参照して説明する。
【００１９】
図１乃至図４において、パネルユニットＰＵ１は、一の多角形パネルＰ１、他の一の多角形パネルＰ２、及び連結軸Ｓを含んで構成される。
【００２０】
各多角形パネルＰ１，Ｐ２は、図１乃至図３に示すように、矩形パネル（例えば、正方形パネル）で構成する（以下、「一の矩形パネルＰ１、他の一の矩形パネルＰ２」称する）。
【００２１】
各矩形パネルＰ１，Ｐ２は、格子パネル本体２（パネル本体）、及び複数の連結リングＲ，Ｒ，…を有する。
【００２２】
格子パネル本体２は、図１乃至図３に示すように、複数の側端面１Ａ〜１Ｄで矩形（例えば、正方形）に形成される。
格子パネル本体２は、複数本の縦鉄線３，３，…、及び複数本の横鉄線５，５，…を有する。各縦鉄線３，３，…は、格子パネル本体２の横方向Ｈに等間隔を隔てて平行配置され、縦格子を構成する。各横鉄線５，５，…は、格子パネル本体２の横方向Ｈに直交する縦方向Ｇに等間隔を隔てて平行配置され、横格子を構成する。縦格子及び横格子は、縦鉄線３，３，…及び横鉄線５，３，…を直交して配置され、正方形網目の格子パネル本体２を形成する。各縦鉄線３，３，…及び各横鉄線５，５，…は、相互の交点で溶接される。
【００２３】
格子パネル本体２の縦方向Ｇの両端に配置した各横鉄線５，５は、図１乃至図３に示すように、各側端面１Ａ，１Ｂ（上側端面、下側端面）を構成する。
格子パネル本体２の横方向Ｈの両端に配置した各縦鉄線３，３は、図１乃至図３に示すように、各側端面１Ｃ，１Ｄ（左側端面、右側端面）を構成する。
これにより、格子パネル本体２において、各横鉄線５，５、及び各縦鉄線３，３は、図１乃至図３に示すように、複数の側端面１Ａ〜１Ｄを構成し、各側端面１Ａ〜１Ｄで矩形外縁（例えば、正方形外縁）を形成する。矩形外縁は、正方形外縁、長方形外縁等の四角形外縁を意味する、
各側端面１Ａ，１Ｂは相互に平行して一対（第１対）の各平行側端面１Ａ，１Ｂを構成する。各側端面１Ｃ，１Ｄは相互に平行して一対（第２対）の各平行端面１Ｃ，１Ｄを構成する。
各側端面１Ａ〜１Ｄは、図２に示すように、各端点２Ａ〜２Ｄで交差する。各端点２Ａ〜２Ｄは、矩形外縁において、格子パネル本体２の各頂点である。
【００２４】
連結リングＲ，Ｒ，…は、各矩形パネルＰ１，Ｐ２の各側端面１Ａ〜１Ｄに沿って複数配列される。各連結リングＲ，Ｒ，…は、連結穴６を有する。連結穴６は、例えば、円形穴に形成する（図３参照）。
【００２５】
側端面１Ａにおいて、複数の連結リングＲ，Ｒ，…（以下、「連結リングＲＡ」と称する。）は、図２及び図３に示すように、連結穴６の穴中心線α１を側端面１Ａに平行する直線Ａａに位置して、側端面１Ａの両端点２Ａ，２Ｂ間で等間隔を隔てて配列される。直線Ａａは、側端面１Ａに直交する方向Ｇ（縦鉄線２の軸心方向Ｇ）において、側端面１Ａから間隔ＴＡを隔てる位置に設定される。
各連結リングＲＡ，ＲＡ，…は、図１乃至図３に示すように、格子パネル本体２の横鉄線５上に配置され、横鉄線３及び縦鉄線３に溶接される。
各連結リングＲＡ，ＲＡ，…において、連結穴６は、穴中心線α１に沿って連結リングＲＡを挿通（貫通）する。
これにより、各矩形パネルＰ１，Ｐ２は、複数の連結リングＲＡ，ＲＡ，…を有し、各連結リングＲＡ，ＲＡ，…を側端面１Ａに沿って複数配列して、格子パネル本体２に保持する。
【００２６】
側端面１Ｂにおいて、複数の連結リングＲ，Ｒ，…（以下、「連結リングＲＢ」と称する。）は、図２及び図３に示すように、連結穴６の穴中心線α２を側端面１Ｂに平行する直線Ｂａに位置して、側端面１Ｂの両端点２Ｃ，２Ｄ間で等間隔を隔てて配列される。直線Ｂａは、側端面１Ｂに直交する方向Ｇにおいて、側端面１Ｂから間隔ＴＡを隔てる位置に設定される。
各連結リングＲＢ，ＲＢ，…は、図１乃至図３に示すように、格子パネル本体２の横鉄線５上に配置され、横鉄線５及び各縦鉄線３に溶接される。
各連結リングＲＢ，ＲＢ，…において、連結穴６は、穴中心線α２に沿って連結リングＲＢを挿通（貫通）する。
これにより、各矩形パネルＰ１，Ｐ２は、複数の連結リングＲＢ，ＲＢ，…を有し、各連結リングＲＢ，ＲＢ，…を側端面１Ｂに沿って複数配列して、格子パネル本体２に保持する。
【００２７】
側端面１Ｃにおいて、複数の連結リングＲ，Ｒ，…（以下、「連結リングＲＣ」と称する。）は、図２及び図３に示すように、連結穴６の穴中心線α３を側端面１Ｃに平行する直線Ｃａに位置して、側端面１Ｃの両端点２Ａ，２Ｃ間で等間隔を隔てて配列される。直線Ｃａは、側端面１Ｃに直交する方向Ｈ（横鉄線５の軸心方向Ｈ）において、側端面１Ｃから間隔ＴＡを隔てる位置に設定される。
各連結リングＲＣ，ＲＣ，…は、図１乃至図３に示すように、格子パネル本体２の横鉄線５上に配置され、横鉄線５及び縦鉄線３に溶接される。
各連結リングＲＣ，ＲＣ，…において、連結穴６は、穴中心線α３に沿って連結リングＲＣを挿通（貫通）する。
これにより、各矩形パネルＰ１，Ｐ２は、複数の連結リングＲＣ，ＲＣ，…を有し、各連結リングＲＣ，ＲＣ，…を側端面１Ｃに沿って複数配列して、格子パネル本体２に保持する。
【００２８】
側端面１Ｄにおいて、複数の連結リングＲ，Ｒ，…（以下、「連結リングＲＤ」と称する。）は、図２及び図３に示すように、連結穴６の穴中心線α４を側端面１Ｄに平行する直線Ｄａに位置して、側端面１Ｄの両端点２Ｂ，２Ｄ間で等間隔を隔てて配列される。直線Ｄａは、側端面１Ｄに直交する方向Ｈにおいて、側端面１Ｄから間隔ＴＡを隔てる位置に設定される。
各連結リングＲＤ，ＲＤ，…は、図１乃至図３に示すように、格子パネル本体２の横鉄線５上に配置され、横鉄線５及び縦鉄線３に溶接される。
各連結リングＲＤ，ＲＤ，…において、連結穴６は、穴中心線α４に沿って連結リングＲＤを挿通（貫通）する。
これにより、各矩形パネルＰ１，Ｐ２は、複数の連結リングＲＤ，ＲＤ，…を有し、各連結リングＲＣ，ＲＣ，…を側端面１Ｄに沿って複数配列して、格子パネル体２に保持する。
【００２９】
格子パネル本体２において、各連結リングＲＡ，ＲＢは、各側端面１Ａ，１Ｂ（平行側端面１Ａ，１Ｂ）に交互に配列される。
各連結リングＲＣ，ＲＤは、各側端面１Ｃ，１Ｄ（平行端面１Ｃ，１Ｄ）に交互に配列される。
【００３０】
各連結リングＲＡ〜ＡＤにおいて、連結穴６の穴中心線α１〜α４ｇは、図２及び図３に示すように、同一平面ＨＡに配置される。
これにより、各連結リングＲＡ〜ＲＤの連結穴６は、格子パネル本体２の横方向Ｈ及び縦方向Ｇに直交する幅方向Ｍにおいて、同一の高さ位置に配置される。
【００３１】
連結軸Ｓは、各連結リングＲＡ，ＲＢ，ＲＣ，ＲＤに挿通される。連結軸Ｓは、円筒又は円柱に形成される。
【００３２】
パネルユニットＰＵ１は、図１及び図４に示すように、一の矩形パネルＰ１の側端面１Ｂ及び他の一の矩形パネルＰ２の側端面１Ａを対向して、各矩形パネルＰ１，Ｐ２を連続並設する。
一の矩形パネルＰ１、及び他の一の矩形パネルＰ２は、図１及び図４に示すように、矩形パネルＰ１の側端面１Ｂ（他の平行側端面）に配列した各連結リングＲＢ，ＲＢ，…の連結穴６、及び矩形パネルＰ２の側端面１Ａ（一の平行側端面）に配列した各連結リングＲＡ，ＲＡ，…の連結穴６同士を対向して、各矩形パネルＰ１，Ｐ２間にリング整列群ＲＧ１を形成する。
リング整列群ＲＧ１は、図１に示すように、各連結リングＲＢ，ＲＢ，…を各連結リングＲＡ，ＲＡ，…間に整列配置し、各連結リングＲＡ，ＲＡ，ＲＡを各連結リングＲＢ，ＲＢ，…間に整列配置して形成する。
各連結リンクＲＢ，ＲＢ，…の連結穴６、及び各連結リングＲＡ，ＲＡ，…の連結穴６は、図１及び図４に示すように、連結穴６の穴中心線α１，α２（直線Ａａ，Ｂａ）を一致して配置される。
【００３３】
連結軸Ｓは、リング整列群ＲＧ１を構成する各連結リングＲＡ，ＲＡ，…、ＲＢ，ＲＢ，…の連結穴６を挿通して、一の矩形パネルＰ１及び他の一の矩形パネルＰ２を旋回自在に連結する。
これにより、一の矩形パネルＰ１及び他の一の矩形パネルＰ２は、図４に示すように、連結軸Ｓを旋回中心として、角度３６０°の範囲で旋回できる。
【００３４】
また、矩形パネルＰ１において、側端面１Ｃに配列した各連結リングＲＣ，ＲＣ，…の連結穴６、及び矩形パネルＰ２において、側端面１Ｄに配列した各連結リンクＲＤ，ＲＤ，…の連結穴６同士を対向して、各矩形パネルＰ１，Ｐ２間にリング整列群を形成する。連結軸６はリング整列群を構成する各連結リンクＲＣ，ＲＤの連結穴６に挿通することで、一の矩形パネルＰ１及び他の一の矩形パネルＰ２を旋回自在に連結できる。
同様に、各矩形パネルＰ１，Ｐ２において、各連結リングＲＡ，ＲＡ，…の連結穴６及び各連結リングＲＤ，ＲＤ，…の連結穴６同士を対向し、又は各連結リングＲＢ，ＲＢ，…の連結穴６及び各連結リングＲＤ，ＲＤ，…の連結穴６同士を対向して、連結軸６はリング整列群を構成する各連結リングの連結穴６に挿通することで、一の矩形パネルＰ１及び他の一の矩形パネルＰ２を旋回自在に連結できる。
【００３５】
＜第２実施形態＞
第２実施形態のパネルユニットＰＵ２（以下、「パネルユニットＰＵ２」と称する）について、図５乃至図１１を参照して説明する。
なお、図５乃至図１１において、図１乃至図４と同一符号は同一部材又は同一構成であるので、その詳細な説明は省略する。
【００３６】
図５乃至図１１において、パネルユニットＰＵ２は、パネル直方体１０１（パネル立方体を含む）を構成する。パネル直方体１０１は、左右側面１０１Ａ，１０１Ｂ、天井面１０１Ｃ、底面１０１Ｄ及び背面１０１Ｅでなり、前面に開口する。
パネルユニットＰＵ２は、複数の矩形パネルＰ３，Ｐ４，…，Ｐ１１、及び複数の連結軸Ｓ，Ｓ，…を有する。各矩形パネルＰ３，Ｐ４，…，Ｐ１１は、パネルユニットＰＵ１（図１乃至図３参照）と同一構成である。
【００３７】
複数の矩形パネルＰ３，Ｐ４，…，Ｐ１１は、パネル直方体１０１の左右側面１０１Ａ，１０１Ｂ、天井面１０１Ｃ、底面１０１Ｄ及び背面１０１Ｅを構成する。
【００３８】
各矩形パネルＰ３，Ｐ４は天井面１０１Ｃを構成する。各矩形パネルＰ３，Ｐ４は、図５乃至図９、及び図１１に示すように、連続して並設される。各矩形パネルＰ３，Ｐ４は、一の矩形パネルＰ３の平行側端面１Ａ（側端面１Ａ）に配列した各連結リングＲＡ，ＲＡ，…の連結穴６、及び他の一の矩形パネルＰ４の平行側端面１Ｂ（側端面１Ｂ）に配列した各連結リングＲＢ，ＲＢ，…の連結穴６同士を対向して、各矩形パネルＰ３，Ｐ４間にリング整列群ＲＧ２を形成する。連結軸Ｓは、リング整列群ＲＧ２を構成する各連結リングＲＡ，ＲＢの連結穴６を挿通して、各矩形パネルＰ３，Ｐ４を旋回自在に連結する。
【００３９】
各矩形パネルＰ５，Ｐ６は底面１０１Ｄを構成する。各矩形パネルＰ５，Ｐ６は、図５乃至図１０に示すように、連結して並設される。各矩形パネルＰ５，Ｐ６は、一の矩形パネルＰ５の平行側端面１Ａ（側端面１Ａ）に配列した各連結リングＲＡ，ＲＡ，…の連結穴６、及び他の一の矩形パネルＰ６の平行側端面１Ｂ（側端面１Ｂ）に配列した各連結リングＲＢ，ＲＢ，…の連結穴６同士を対向して、各矩形パネルＰ４，Ｐ５間にリング整列群ＲＧ３を形成する。連結軸Ｓは、リング整列群ＲＧ３を構成する各連結リングＲＡ，ＲＢの連結穴６を挿通して、各矩形パネルＰ５，Ｐ６を旋回自在に連結する。
【００４０】
各矩形パネルＰＰ７，Ｐ８は左側面１０１Ａを構成する。各矩形パネルＰ７，Ｐ８は、図５乃至図８、及び図１０、図１１に示すように、連続して並設される。各矩形パネルＰ７，Ｐ８は、一の矩形パネルＰ７の平行側端面１Ｂ（側端面１Ｂ）に配列した各連結リングＲＢ，ＲＢ，…の連結穴６、及び他の一の矩形パネルＰ８の平行側端面１Ａ（側端面１Ａ）に配列した各連結リングＲＡ，ＲＡ，…の連結穴６同士を対向して、各矩形パネルＰ７，Ｐ８間にリング整列群ＲＧ４を形成する。連結軸Ｓは、リング整列群Ｇ４を構成する各連結リングＲＡ，ＲＢの連結穴６を挿通して、各矩形パネルＰ７，Ｐ８を旋回自在に連結する。
【００４１】
各矩形パネルＰ９，Ｐ１０は右側面１０１Ｂを構成する。各矩形パネルＰ９，Ｐ１０は、図５乃至図７、及び図９乃至図１１に示すように、連続して並設される。各矩形パネルＰ９，Ｐ１０は、一の矩形パネルＰ９の平行側端面１Ａに配列した各連結リングＲＡ，ＲＡ，…の連結穴６、及び他の一の矩形パネルＰ１０の平行側端面１Ｂ（側端面１Ｂ）に配列した各連結リングＲＢ，ＲＢ，…の連結穴６同士を対向して、各矩形パネルＰ９，Ｐ１０間にリング整列群ＲＧ５を形成する。連結軸Ｓは、リング整列群ＲＧ５を構成する各連結リングＲＡ，ＲＢの連結穴６を挿通して、各矩形パネルＰ９，Ｐ１０を旋回自在に連結する。
【００４２】
左側面１０１Ａの各矩形パネルユニットＰ７，Ｐ８は、は、図７、図８及び図１０に示すように、底面１０１Ｃの各矩形パネルＰ５，Ｐ６に連結される。
左側面１０１Ａ及び底面１０１Ｃの各矩形パネルＰ７，Ｐ５は、矩形パネルＰ７の平行側端面１Ｄ（側端面１Ｄ）に配列した連結リングＲＤ，ＲＤ，…の連結穴６、及び矩形パネルＰ５の平行側端面１Ｃ（側端面１Ｃ）に配列した連結リングＲＣ，ＲＣ，…の連結穴６同士を対向して、各矩形パネルＰ５，Ｐ７間にリング整列群ＲＧ６を形成する。連結軸６は、リング整列群ＲＧ６を構成する各連結リングＲＣ，ＲＤの連結穴６を挿通して、各矩形パネルＰ５，Ｐ７を旋回自在に連結する。
また、各矩形パネルＰ８，Ｐ６は、矩形パネルＰ８の平行側端面１Ｄ（側端面１Ｄ）に配列した各連結リングＲＤ，ＲＤ，…の連結穴６、及び矩形パネルＰ６の平行側端面１Ｃ（側端面１Ｃ）に配列した各連結リングＲＣ，ＲＣ，…の連結穴６同士を対向して、各矩形パネルＰ８，Ｐ６間にリング整列群ＲＧ７を形成する。連結軸６は、リング整列群ＲＧ７を構成する各連結リングＲＣ，ＲＤの連結穴６を挿通して、各矩形パネルＰ８，Ｐ６を旋回自在に連結する。
【００４３】
左側面１０１Ａの各矩形パネルＰ７，Ｐ８は、図７、図８及び図１１に示すように、天井面１０１Ｄの各矩形パネルＰ３，Ｐ４に直交して配置され、各矩形パネルＰ３，Ｐ４に連結される。
各矩形パネルＰ７，Ｐ３は、矩形パネルＰ７の平行側端面１Ｃ（側端面１Ｃ）に配列した各連結リングＲＣ，ＲＣ，…の連結穴６、及び矩形パネルＰ３の平行側端面１Ｄ（側端面１Ｄ）に配列した各連結リングＲＤ，ＲＤ，…の連結穴６同士を対向して、各矩形パネルＰ７，Ｐ３間にリング整列群ＲＧ８を形成する。連結軸６は、リング整列群ＲＧ８を構成する各連結リングＲＣ，ＲＤの連結穴６を挿通して、各矩形パネルＰ７，Ｐ３を旋回自在に連結する。
また、各矩形パネルＰ８，Ｐ４は、矩形パネルＰ８の平行側端面１Ｃ（側端面１Ｃ）に配列した各連結リングＲＣ，ＲＣ，…の連結穴６、及び矩形パネルＰ４の平行側端面１Ｄ（側端面１Ｄ）に配列した各連結リングＲＤ，ＲＤ，…の連結穴６同士を対向して、各矩形パネルＰ８，Ｐ４間にリング整列群ＲＧ９を形成する。連結軸６は、リング整列群ＲＧ９を構成する各連結リングＲＣ，ＲＤの連結穴６を挿通して、各矩形パネルＰ８，Ｐ４を旋回自在に連結する。
【００４４】
右側面１０１Ｂの矩形パネルＰ９，Ｐ１０は、図７、図９及び図１０に示すように、底面１０１Ｃの各矩形パネルＰ５，Ｐ６に直交して配置され、各矩形パネルＰ９，Ｐ１０に連結される。
各矩形パネルＰ９，Ｐ５は、矩形パネルＰ９の平行側端面１Ｃ（側端面１Ｃ）に配列した各連結リングＲＣ，ＲＣ，…の連結穴６、及び矩形パネルＰ５の平行側端面１Ｄ（側端面１Ｄ）に配列した各連結リングＲＤ，ＲＤ，…の連結穴６同士を対向して、各矩形パネルＰ９，Ｐ５間にリング整列群ＲＧ１０を形成する。連結軸Ｓは、リング整列群ＲＧ１０を構成する各連結リングＲＣ，ＲＤの連結穴６を挿通して、各矩形パネルＰ９，Ｐ５を旋回自在に連結する。
また、各矩形パネルＰ１０，Ｐ６は、矩形パネルＰ１０の平行側端面１Ｃ（側端面１Ｃ）に配列した各連結リングＲＣ，ＲＣ，…の連結穴６、及び矩形パネルＰ６の平行側端面１Ｄ（側端面１Ｄ）に配列した各連結リングＲＤ，ＲＤ，…の連結穴６同士を対向して、各矩形パネルＰ１０，Ｐ６間にリング整列群ＲＧ１１を形成する。連結軸Ｓは、リング整列群ＲＧ１１を構成する各連結リングＲＣ，ＲＤの連結穴６を挿通して、各矩形パネルＰ１０，Ｐ６を旋回自在に連結する。
【００４５】
右側面１０１Ｂの矩形パネルＰ９，Ｐ１０は、図７、図９及び図１１に示すように、天井面１０１Ｃの各矩形パネルＰ３，Ｐ４に直交して配置され、各矩形パネルＰ３，Ｐ４に連結される。
各矩形パネルＰ９，Ｐ３は、矩形パネルＰ９の平行側端面１Ｄ（側端面１Ｄ）に配列した各連結リングＲＤ，ＲＤ，…の連結穴６、及び矩形パネルＰ３の平行側端面１Ｃ（側端面１Ｃ）に配列した各連結リングＲＣ，ＲＣ，…の連結穴６同士を対向して、各矩形パネルＰ９，Ｐ３間にリング整列群Ｒ１２を形成する。連結軸Ｓは、リング整列群ＲＧ１２を構成する各連結リングＲＣ，ＲＤの連結穴６を挿通して、各矩形パネルＰ９，Ｐ３を旋回自在に連結する。
また、各矩形パネルＰ１０，Ｐ４は、矩形パネルＰ１０の平行側端面１Ｄ（側端面１Ｄ）に配列した各連結リングＲＤ，ＲＤ，…の連結穴６、及び矩形パネル４の平行側端面１Ｃ（側端面１Ｃ）に配列した各連結リングＲＣ，ＲＣ，…の連結穴６を対向して、各矩形パネルＰ１０，Ｐ４間にリング整列群ＲＧ１３を形成する。連結軸Ｓは、リング整列群ＲＧ１３の各連結リングＲＣ，ＲＤの連結穴６を挿通して、各矩形パネルＰ１０，Ｐ４を旋回自在に連結する。
【００４６】
矩形パネルＰ１１は背面１０１Ｅを構成する。矩形パネルＰ１１は、図５乃至図１１に示すように、各矩形パネルＰ３，Ｐ５，Ｐ７，Ｐ９に直交して配置され、各矩形パネルＰ３，Ｐ５，Ｐ７，Ｐ９に連結される。
【００４７】
各矩形パネル１１，Ｐ３は、矩形パネルＰ１１の平行側端面１Ｂ（側端面１Ｂ）に配列した各連結リングＲＢ，ＲＢ，…の連結穴６、及び矩形パネルＰ３の平行側端面１Ａ（側端面１Ａ）に配列した各連結リングＲＡ，ＲＡ，…の連結穴６同士を対向して、各矩形パネルＰ１１，Ｐ３間にリング整列群ＲＧ１４を形成する。連結軸Ｓは、リング整列群ＲＧ１２を構成する各連結リングＲＡ，ＲＢの連結穴６を挿通して、各矩形パネルＰ１１，Ｐ３を旋回自在に連結する。
【００４８】
各矩形パネルＰ１１，Ｐ５は、矩形パネルＰ１１の平行側端面１Ｂ（側端面１Ｂ）に配列した各連結リングＲＢ，ＲＢ，…の連結穴６、及び矩形パネルＰ５の平行側端面１Ａ（側端面１Ａ）に配列した各連結リングＲＡ，ＲＡ，…の連結穴６同士を対向して、各矩形パネＰ１１，Ｐ５間にリング整列群ＲＧ１５を形成する。連結軸Ｓは、リング整列群ＲＧ１５を構成する各連結リングＲＡ，ＲＢの連結穴６を挿通して、各矩形パネルＰ１１，Ｐ５を旋回自在に連結する。
【００４９】
各矩形パネルＰ１１，Ｐ７は、矩形パネルＰ１１の平行側端面１Ｄ（側端面１Ｄ）に配列した各連結リングＲＤ，ＲＤ，…の連結穴６、及び矩形パネルＰ７の平行側端面１Ａ（側端面１Ａ）に配列した各連結リングＲＡ，ＲＡ，…の連結穴６同士を対向して、各矩形パネルＰ１１，Ｐ７間にリング整列群ＲＧ１６を形成する。連結軸Ｓは、リング整列群ＲＧ１６を構成する各連結リングＲＤ，ＲＡの連結穴６を挿通して、各矩形パネルＰ１１，Ｐ７を旋回自在に連結する。
【００５０】
各矩形パネルＰ１１，Ｐ９は、矩形パネルＰ１１の平行側端面１Ｃ（側端面１Ｃ）に配列した各連結リングＲＣ，ＲＣ，…の連結穴６、及び矩形パネルＰ９の平行側端面１Ｂ（側端面１Ｂ）に配列した各連結リングＲＢ，ＲＢ，…の連結穴６同士を対向して、各矩形パネルＰ１１，Ｐ５間にリング整列群ＲＧ１７を形成する。連結軸Ｓは、リング整列群ＲＧ１７を構成する各連結リングＲＣ，ＲＢの連結穴６を挿通して、各矩形パネルＰ１１，Ｐ９を旋回自在に連結する。
【００５１】
パネルユニットＰＵ２は、各矩形パネルＰ３，Ｐ４，…，Ｐ１１を各リング整列群ＲＧ２〜ＲＧ１７で連結して、前面に開口するパネル直方体１０１を構成する。
各連結軸Ｓ，Ｓ，…は、図５乃至図９に示すように、各リング整列群ＲＧ２〜ＲＧ１７で各矩形パネルＰ３〜Ｐ１１を旋回自在に連結すると共に、各矩形パネルＰ３〜Ｐ１１をパネル直方体１０１に保持する。
【００５２】
＜適用例＞
パネルユニットＰＵ２は、図５乃至図１１に示すように、例えば、獣類捕獲罠Ｘ（箱罠）に適用される。
獣類捕獲罠Ｘは、例えば、野性の猪、猿、熊等の獣類を捕獲するために使用される。
獣類捕獲罠Ｘは、パネル直方体１０１、開閉扉１０２及びトリガ装置（図示しない）で構成される。
パネル直方体１０１は、檻本体（以下、「檻本体１０１」と称する）を構成する。檻本体１０１は、獣類侵入口１０３を有し、獣類侵入口１０３はパネル直方体１０１の前面１０１Ｆに開口する。
開閉扉１０２は、図５及び図６に示すように、獣類侵入口１０３を開閉する。開閉扉１０２は、ガイド装置１０４で案内される。ガイド装置１０４は、獣類侵入口１０３側において、左右側面１０１Ａ，１０１Ｂの各矩形パネルＰ８，Ｐ１０に固定される。
開閉扉１０２は、図６に示すように、トリガ装置（図示しない）で獣類侵入口１０３を解放する位置に保持される。上記トリガ装置は、獣類の侵入に伴って、開閉扉１０３の保持を解除し、これにより開閉扉１０２は獣類侵入口１０３を閉じる。
【００５３】
第２実施形態のパネルユニットＰＵ２は、矩形パネルの連結数を増減することで、任意の容積を有するパネル直方体１０１（檻本体）を構成できる。
第２実施形態のパネルユニットＰＵ２は、獣類捕獲罠Ｘに適用する場合に限定されず、住宅等の基礎をなるパネル直方体にも適用できる。
【００５４】
＜第３実施形態＞
第３実施形態のパネルユニットＰＵ３（以下、「パネルユニットＰＵ３」と称する。）について、図１２乃至図１８を参照して説明する。
なお、図１２乃至図１８において、図１乃至図４と同一符号は同一部材又は同一構成であるので、その詳細な説明は省略する。
【００５５】
図１２乃至図１８において、パネルユニットＰＵ３は、一の多角形パネルＰ１３、他の一の多角形パネルＰ１４、及び連結軸Ｓを含んで構成される。
【００５６】
各多角形パネルＰ１３，Ｐ１４は、図１２乃至図１８に示すように、矩形パネル（例えば、正方形パネル）で構成する（以下、「一の矩形パネルＰ１３、他の一の矩形パネルＰ１４」と称する）。
【００５７】
各矩形パネルＰ１３，Ｐ１４は、図１２乃至図１８に示すように、格子パネル本体２２、及び複数の連結リングＮ，Ｎ，…を有する。
【００５８】
格子パネル本体２２は、複数の側端面１Ａ〜１Ｄで矩形外縁に形成される。
格子パネル本体２２は、複数本の縦鉄線３，３，…、複数本の横鉄線５，５，…及び矩形枠３１を有する。
【００５９】
各縦鉄線３，３，…は縦格子を構成し、各横鉄線５，５，…は横格子を構成する。縦格子及び横格子は、縦鉄線３，３，…及び横鉄線５，５，…を直交して配置され、正方形網目の矩形格子２２Ｆを形成する。各縦鉄線３，３，…及び横鉄線５，５，…は、相互の交点で溶接される。
【００６０】
矩形枠３１は、図１２及び図１３に示すように、複数のＬ字形の枠平鋼材２３〜２６で構成される。各枠平鋼材２３〜２６は、側端平鋼２３Ａ〜２６Ａ及び内側平鋼２３Ｂ〜２６Ｂを有し、各平鋼２３Ａ〜２６Ａ，２３Ｂ〜２６ＢでＬ字形に形成される。各枠平鋼材２３〜２６は、溶接して矩形（例えば、正方形）に形成される
【００６１】
格子パネル本体２２において、矩形格子２２Ｆは、図１３に示すように、矩形枠３１内に配置され、各縦鉄線３，３，…を各枠平鋼材２３，２４の内側平鋼２３Ｂ，２４Ｂに溶接する。各横鉄線５，５，…は各枠平鋼材２５，２６の内側平鋼２５Ｂ，２６Ｂに溶接する。
【００６２】
格子パネル本体２２において、各枠平鋼材２３，２４の側端平鋼２３Ａ，２４Ａは、図１０乃至図１６に示すように、各側端面１Ａ，１Ｂ（上側端面、下側端面）を構成する。
各枠平鋼材２５，２６の側端平鋼２５Ａ，２６Ａは、図１２乃至図１８に示すように、各側端面１Ｃ，１Ｄ（左側端面、右側端面）を構成する。
これにより、格子パネル本体２２において、各側端平鋼２３Ａ〜２６Ａは、図１２乃至図１８に示すように、複数の側端面１Ａ〜１Ｄを構成し、各側端面１Ａ〜１Ｄで矩形外縁（例えば、正方形外縁）を形成する。矩形外縁は、正方形外縁、長方形外縁等の四角形外縁を意味する。
各枠平鋼材２３，２４の側端平鋼２３Ａ，２４Ａは、相互に平行して一対（第１対）の平行側端面１Ａ，１Ｂを構成する。各枠平鋼材２５，２６の側端面平鋼２５Ａ，２６Ａは、相互に平行して一対（第２対）の平行側端面１Ｃ，１Ｄを構成する。
各側端面１Ａ〜１Ｄは、各端点２２Ａ〜２２Ｄで交差する。各端点２２Ａ〜２２Ｄは、矩形外縁において、格子パネル本体２２の各頂点である。
【００６３】
各側端平鋼２３Ａ，２４Ａは、図１２及び図１５に示すように、複数の連結ネジ穴３５Ａ，３５Ａ，…、３５Ｂ，３５Ｂ，…を有する。
【００６４】
各連結ネジ穴３５Ａ，３５Ａ，…は、格子パネル本体２の横方向Ｈにおいて、等間隔を隔てて側端平鋼２３Ａ（側端面１Ａ）に形成される。
各連結ネジ穴３５Ａ，３５Ａ，…の穴中心線３５ａは、格子パネル本体２２の横方向Ｈ及び縦方向Ｇに直交する幅方向Ｍにおいて、内側平鋼２３Ｂに平行する直線ａ１に位置して、側端平鋼２３Ａに配置される。直線ａ１は、幅方向Ｍにおいて、内側平鋼２３Ｂから間隔ＳＡを隔てる位置に設定される。
各連結ネジ穴３５Ａ，３５Ａ，…は、格子パネル本体２の縦方向Ｇにおいて、側端平鋼２３Ａを挿通（貫通）する。
【００６５】
各連結ネジ穴３５Ｂ，３５Ｂ，…は、格子パネル本体２２の横方向Ｈにおいて、等間隔を隔てて側端平鋼２４Ａ（側端面１Ｂ）に形成される。
各連結ネジ穴３５Ｂ，３５Ｂ，…の穴中心線３５ｂは、格子パネル本体２２の幅方向Ｍにおいて、内側平鋼２４Ｂに平行する直線ａ２に位置して、側端平鋼２４Ａに配置される。直線ａ２は、幅方向Ｍにおいて、内側平鋼２４Ｂから間隔ＳＡを隔てる位置に設定される。
各連結ネジ穴３５Ｂ，３５Ｂ，…は、格子パネル本体２の縦方向Ｇにおいて、側端平鋼２４Ａを挿通（貫通）する。
【００６６】
格子パネル本体２２において、各連結ネジ穴３５Ａ，３５Ａ，…及び各連結ネジ穴３５Ｂ，３５Ｂ，…は、図１３及び図１５に示すように、格子パネル本体２２の横方向Ｈにおいて、各側端平鋼２３Ａ，２４Ａ（各側端面１Ａ，１Ｂ）に千鳥配列する。
【００６７】
各側端平鋼２５Ａ，２６Ａは、図１３及び図１５に示すように、複数の連結ネジ穴３５Ｃ，３５Ｃ，…、３５Ｄ，３５Ｄ，…を有する。
【００６８】
各連結ネジ穴３５Ｃ，３５Ｃ，…は、格子パネル本体２の縦方向Ｇにおいて、等間隔を隔てて側端平鋼２５Ａに形成される。
各連結ネジ穴３５Ｃ，３５Ｃの穴中心線３５ｃは、格子パネル本体２２の幅方向Ｍにおいて、内側平鋼２５Ｂに平行する直線ａ３に位置して、側端平鋼２５Ａに配置される。直線ａ３は、幅方向Ｍにおいて、内側平鋼２５Ｂから間隔ＳＢを隔てる位置に設定される。
各連結ネジ穴３５Ｃ，３５Ｃ，…は、格子パネル本体２２の横方向Ｈにおいて、側端平鋼２５Ａを挿通（貫通）する。
【００６９】
各連結ネジ穴３５Ｄ，３５Ｄ，…は、格子パネル本体２２の縦方向Ｇにおいて、等間隔を隔てて側端平鋼２６Ａ（側端面１Ｃ）に形成される。
各連結ネジ穴３５Ｄ，３５Ｄの穴中心線３５ｄは、格子パネル本体２２の幅方向Ｍにおいて、内側平鋼２６Ｂに平行する直線ａ４に位置して、側端平鋼２６Ａに配置される。直線ａ４は、幅方向Ｍにおいて、内側平鋼２６Ｂから間隔ＳＢを隔てる位置に設定される。
各連結ネジ穴３５Ｄ，３５Ｄ，…は、格子パネル本体２２の横方向Ｈにおいて、側端平鋼２６Ａを挿通（貫通）する。
【００７０】
格子パネル本体２２において、各連結ネジ穴３５Ｃ，３５Ｃ，…及び各連結ネジ穴３５Ｄ，３５Ｄ，…は、図１３及び図１５に示すように、格子パネル本体２２の縦方向Ｇにおいて、各側端平鋼２５Ａ，２６Ａ（各側端面１Ｃ，１Ｄ）に千鳥配列する。
【００７１】
格子パネル本体２２において、各直線ａ１〜ａ４の間隔ＳＡ，ＳＢは、各連結ネジ穴３５Ａ〜３５Ｄの穴中心線３５ａ〜３５ｄを同一平面ＨＢに配置できる値に設定される。
【００７２】
連結リングＮ，Ｎ，…は、図１２、図１２、図１６及び図１７に示すように、各矩形パネルＰ１，Ｐ２の側端平鋼２３Ａ〜２６Ａ（各側端面１Ａ〜１Ｄ）に沿って複数配置される。各連結リングＮ，Ｎ，…は、連結穴２８及びネジ軸２９を有する。連結穴２８は、例えば、長穴に形成される（以下、「連結長穴２８」と称する）。
【００７３】
側端平鋼２３Ａ（側端面１Ａ）において、複数の連結リングＮ，Ｎ，…（以下、「連結リングＮＡ」と称する。）は、図１６に示すように、ネジ軸２９を各連結ネジ穴３５Ａ，３５Ａ，…に螺着して側端平鋼２３Ａに固定される。
これにより、各連結リングＮＡ，ＮＡ，…は、各矩形パネルＰ１３，Ｐ１４の格子パネル本体２２に保持される。
各連結リングＮＡ，ＮＡ，…は、図１６及び図１７に示すように、連結長穴２８の穴中心線γ１を側端平鋼２３Ａに平行する直線Ａｂに位置して、側端平鋼２３Ａの両端点２２Ａ，２２Ｂ間で等間隔を隔てて配列される。直線γ１は、側端平鋼２３Ａ（側端面１Ａ）に直交する方向Ｇにおいて、側端平鋼２３Ａから間隔ＴＢを隔てる位置に設定される。
また、各連結リングＮＡ，ＮＡ，…において、連結長穴２８は、直線γ１及び側端平鋼２３Ａ（側端面１Ａ）に直交する方向Ｇに延出され、穴中心線γ１に沿って連結リングＮＡを挿通（貫通）する（図１７参照）。
【００７４】
側端平鋼２４Ａ（側端面１Ｂ）において、複数の連結リングＮ，Ｎ，…（以下、「連結リングＮＢ」と称する）は、図１６に示すように、ネジ軸２９を各連結ネジ穴３５Ｂ，３５Ｂ，…に螺着して側端平鋼２４Ａに固定される。
これにより、各連結リングＮＢ，ＮＢ，…は、各矩形パネルＰ１３，１４の格子パネル本体２２に保持される。
各連結リングＮＢ，ＮＢ，…は、図１６及び図１７に示すように、連結長穴２８の穴中心線γ２を側端平鋼２４Ａに平行する直線Ｂｂに位置して、側端平鋼２４Ａの両端点２２Ｃ，２２Ｄ間で等間隔を隔てて配列される。直線γ２は、側端平鋼２４Ａ（側端面１Ｂ）に直交する方向Ｇにおいて、側端平鋼２４Ａから間隔ＴＢを隔てる位置に設定される。
また、各連結リングＮＢ，ＮＢ，…において、連結長穴２８は、直線γ２及び側端平鋼２５Ａ（側端面１Ｂ）に直交する方向Ｇに延出され、穴中心線γ２に沿って連結リングＮＢを挿通（貫通）する（図１７参照）。
【００７５】
側端平鋼２５Ａ（側端面１Ｃ）において、複数の連結リングＮ，Ｎ，…（以下、「連結リングＮＣ」と称する。）は、図１６に示すように、ネジ軸２９を各連結ネジ穴３５Ｃ，３５Ｃ，…に螺着して側端平鋼２５Ａに固定する。
これにより、各連結リングＮＣ，ＮＣ，…は、各矩形パネルＰ１３，Ｐ１４の格子パネル本体２２に保持される。
各連結リングＮＣ，ＮＣ，…は、図１６及び図１７に示すように、連結長穴２８の穴中心線γ３を側端平鋼２５Ａに平行する直線Ｃｂに位置して、側端平鋼２５Ａの両端点２２Ａ，２２Ｃ間で等間隔を隔てて配列される。直線γ３は、側端平鋼２５Ａ（側端面１Ｃ）に直交する方向Ｈにおいて、側端平鋼２５Ａから間隔ＴＢを隔てる位置に設定される。
また、各連結リングＮＣ，ＮＣ，…において、連結長穴２８は、直線γ３及び側端平鋼２５Ａ（側端面１Ｃ）に直交する方向Ｈに延出され、直線γ３に沿って連結リングＮＣを挿通（貫通）する（図１７参照）。
【００７６】
側端平鋼２６Ａ（側端面１Ｄ）において、複数の連結リングＮ，Ｎ，…（以下、「連結リングＮＤ」と称する。）は、図１６に示すように、ネジ軸２９を各連結ネジ穴３５Ｄ，３５Ｄ，…に螺着して側端平鋼２６Ａに固定される。
これにより、各連結リングＮＤ，ＮＤ，…は、各矩形パネルＰ１３，Ｐ１４の格子パネル本体２２に保持される。
各連結リングＮＤ，ＮＤ，…は、図１６及び図１７に示すように、連結長穴２８の穴中心線γ４を枠平鋼２３Ｄに平行する直線Ｄｂに位置して、側端平鋼２６Ａの両端点２２Ｂ，２２Ｄ間で等間隔を隔てて配列される。直線Ｄｂは、側端平鋼２６Ａ（側端面１Ｄ）に直交する方向Ｈにおいて、側端平鋼２６Ａから間隔ＴＢを隔てる位置に設定される。
また、各連結リングＮＤ，ＮＤ，…において、連結長穴２８は、穴中心線γ４及び枠平鋼２３Ｄ（側端面１Ｄ）に直交する方向Ｈに延出され、直線γ４に沿って連結リングＮＤを挿通（貫通）する（図１７参照）。
【００７７】
格子パネル本体２２において、各連結リングＮＡ，ＮＡ，…及び各連結リングＮＢ，ＮＢ，…は、各側端平鋼２３Ａ，２４Ａ（平行側端面１Ａ，１Ｂ）に千鳥配列される。
各連結リングＮＣ，ＮＣ，…及び各連結リングＮＤ，ＮＤ，…は、各側端平鋼２５Ａ，２６Ａ（平行側端面１Ｃ，１Ｄ）に千鳥配列される。
【００７８】
各矩形パネルＰ３，Ｐ４において、各直線Ａｂ〜Ｄｂの間隔ＴＢは、各連結リングＮＡ〜ＮＤの中心線γ１〜γ４を同一平面ＨＢに配置できる値に設定される。
これにより、各連結リングＮＡ〜ＮＤの連結長穴２８は、格子パネル本体２２の幅方向Ｍにおいて、同一高さ位置に配置される。
【００７９】
各連結リングＮＡ〜ＮＤは、ネジ軸２９及び各連結ネジ穴３５Ａ〜３５Ｄによって、各側端面１Ａ〜１Ｄ（各側端平鋼２４Ａ〜２６Ａ）に対し、着脱自在である。
これにより、各連結リングＲＡ〜ＲＤは、任意の一又は複数の側端平鋼２３Ａ〜２６Ａ（側端面１Ａ〜１Ｄ）に装着できる。
なお、各連結リングＮＡ〜ＮＤは、溶接で各側端平鋼２４Ａ〜２６Ａに完全に固定する構成も採用できる。
【００８０】
パネルユニットＰＵ３は、図１２及び図１８に示すように、一の矩形パネルＰ１３の側端平鋼２４Ａ（側端面１Ｂ）及び他の一の矩形パネルＰ１４の側端平鋼２３Ａ（側端面１Ａ）を対向して、各矩形パネルＰ１３，Ｐ１４を連続並設する。
一の矩形パネルＰ１３、及び他の一の矩形パネルＰ１４は、矩形パネルＰ１３の側端平鋼２４Ａ（他の一の平行側端面１Ｂ）に配列した各連結リングＮＢ，ＮＢ，…の連結穴２８、及び他の一の矩形パネルＰ１４の側端平鋼２３Ａ（一の平行側端面１Ａ）に配列した各連結リングＮＡ，ＮＡ，…の連結穴２８同士を対向して、各矩形パネルＰ１３，Ｐ１４間にリング整列群ＲＧ２１を形成する。
リング整列群ＲＧ２1は、図１２及び図１８に示すように、各連結リングＮＡ，ＮＡ，…を各連結リングＮＢ，ＮＢ，…間に整列配置し、各連結リングＮＢ，ＮＢ，…を各連結リングＮＡ，ＮＡ，…間に整列配置して形成する。
各連結リングＮＡ，ＮＢ，…の連結長穴２８は、図１８に示すように、穴中心線γ１，γ２（直線Ａｂ，Ｂｂ）を一致して配置される。
【００８１】
連結軸Ｓは、リング整列群ＲＧ２１を構成する各連結リングＮＡ，ＮＡ，…、ＮＢ，ＮＢ，…の連結長穴２８を挿通して、一の矩形パネルＰ１３及び他の一の矩形パネルＰ１４を旋回自在に連結する。
これにより、一の矩形パネルＰ１３及び他の一の矩形パネルＰ１４は、図１８に示すように、連結軸Ｓを旋回中心として、角度３６０°の範囲で旋回できる。
【００８２】
また、矩形パネルＰ１３において、側端平鋼２５Ａ（側端面１Ｃ）に配列した各連結リングＮＣ，ＮＣ，…連結穴２８、及び矩形パネルＰ１４において、側端平鋼２６Ａ（側端面１Ｄ）に配列した各連結リンクＮＤ，ＮＤ，…の連結穴２８同士を対向して、各矩形パネル１３，１４間にリング整列群を形成する。連結軸Ｓはリング整列群を構成する各連結リンクＮＣ，ＮＤの連結穴２８に挿通することで、一の矩形パネルＰ１３及び他の一の矩形パネルＰ４を旋回自在に連結できる。
同様に、各矩形パネルＰ１３，Ｐ１４において、各連結リングＮＡ，ＮＡ，…の連結穴２８及び各連結リングＮＤ，ＮＤ，…の連結穴２８を対向し、又は各連結リングＮＢ，ＮＢ，…の連結穴２８及び各連結リングＮＣ，ＮＣ，…の連結穴２８を対向して、連結軸６はリング整列群を構成する各連結リングの連結穴２８に挿通することで、一の矩形パネルＰ１３及び他の一の矩形パネルＰ１４を旋回自在に連結できる。
【００８３】
＜第４実施形態＞
第４実施形態のパネルユニットＰＵ４について、図１９及び図２０を参照して説明する。
なお、図１９及び図２０において、図１乃至図１８と同一符号は同一部材又は同一構成であるので、その詳細な説明は省略する。
【００８４】
図１９及び図２０において、パネルユニットＰＵ４は、複数の矩形パネルＰ１５，Ｐ１６，…，Ｐ３２、及び複数の連結軸Ｓ，Ｓ，…を有する。各矩形パネルＰ１５，Ｐ１６，…，Ｐ３２は、格子パネル本体２２、及び複数の連結リングＮＡ，ＮＡ，…、及び複数の連結リングＮＢ，ＮＢ，…を有する。各連結リングＮＡ，ＮＡ，…は、パネルユニットＰＵ３と同様、側端平鋼２３Ａ（一の平行側端面１Ａ）に沿って複数配列して、格子パネル本体２２に保持する。各連結リングＮＢ，ＮＢ，…は、パネルユニットＰＵ３と同様、側端平鋼２４Ａ（他の一の平行側端面１Ｂ）に沿って複数配列して、格子パネル本体２２に保持する。
各矩形パネルユニットＰ１５，１６，…，Ｐ３２は、図１２及び図１６の矩形パネルに対し、各連結リングＮＣ，ＮＤを各側端面１Ｃ，１Ｄ（側端平鋼２５Ａ，２６Ａ）から取外して構成する。
【００８５】
パネルユニットＰＵ４において、複数の矩形パネルＰ１５，Ｐ１６，…，Ｐ３２は、図１９及び図２０に示すように、連続並設され、所定面積の領域ＨＳを区画する。
パネルユニットＰＵ４において、各矩形パネルユニットＰ１５，Ｐ１６，…，Ｐ３２は、地面ＣＨに立設される。
図１７において、各矩形パネルＰ１８，Ｐ１９は、連結軸Ｓを旋回中心に旋回することで、相互に直交して並設する。各矩形パネルＰ２３，Ｐ２４、及び各矩形パネルＰ３１，Ｐ３２も同様、相互に直交して並設する。
これにより、パネルユニットＰＵ４は、複数の矩形パネルＰ１５，Ｐ１６，…を連続並設することで、パネル柵、及び野性の獣類を捕獲する囲い罠を構成する囲い柵等を構成できる。
【００８６】
各矩形パネルＰ１５，Ｐ１６は、矩形パネルＰ１５の側端平鋼２３Ａ（他の一の平行側端面１Ａ）に配列した各連結リングＮＡ，ＮＡ，…の連結穴２８、及び矩形パネルＰ１６の側端平鋼２４Ａ（一の平行側端面１Ｂ）に配列した各連結リングＮＢ，ＮＢ，…を対向して、各矩形パネルＰ１５，Ｐ１６間にリング整列群ＲＧ３１を形成する。連結軸Ｓは、リング整列群ＲＧ３１を構成する各連結リングＲＡ，ＲＢの連結穴２８を挿通して、各矩形パネルＰ１５，Ｐ１６を旋回自在に連結する。また、連結軸Ｓは、地中ＣＳに打ち込まれ、各矩形パネルＰ１５，Ｐ１６を地面ＣＨに立設する。
同様にして、各矩形パネルＰ１６，Ｐ１７，Ｐ１８，…，Ｐ３２も、一の平行側面１Ａ（側端平鋼２３Ａ）に配列した各連結リングＮＡ，ＮＡ，…の連結穴２８、及び他の一の平行側端面１Ｂ（側端平鋼２４Ａ）の各連結リングＮＢ，ＮＢ，…の連結穴２８同士を対向して、各矩形パネルＰ１６，１７，１８，…，Ｐ３２間にリング整列群ＲＧ３２，ＲＧ３３，…，ＲＧ４６を形成する。各連結軸Ｓ，Ｓ，…は、各リング整列群ＲＧ３２，ＲＧ３３，…，ＲＧ４６を構成する各連結リングＲＡ，ＲＢの連結穴２８に挿通して、各矩形パネルＰ１６，Ｐ１７，…，Ｐ３２を旋回自在に連結する。また、各連結軸Ｓ，Ｓ，…は、地中ＣＳに打ち込まれ、各矩形パネルＰ１６，Ｐ１７，…，Ｐ３２を地面ＣＨに立設する。
これにより、各矩形パネルＰ１５，Ｐ１６，…は、各連結リングＲＡ，ＲＢ及び各連結軸Ｓ，Ｓ，…で連結され、領域ＨＳを区画して連続並設される。
また、各矩形パネルＰ１５，Ｐ３２において、各連結軸Ｓ，Ｓは各連結リングＮＢ，ＮＢ，…の連結穴２８を挿通して、地中ＣＳに打ち込むことで、各矩形パネルＰ１５，Ｐ３２間に出入口を形成する。
【００８７】
パネルユニットＰＵ４は、図１８に示すように、各矩形パネルＰ１５，Ｐ１６，…，Ｐ３２の立設の際、木、岩又は住宅等の障害物Ｚが存在する場合がある。このとき、図１８において、各矩形パネルＰ２５は、各矩形パネルＰ２４，Ｐ２６に連結する連結軸Ｓ，Ｓ，…を旋回中心として旋回することで、障害物Ｚを回避して地面ＣＨに立設できる。
このように、各矩形パネルＰ１５，Ｐ１６，…，Ｐ３２において、各リング整列群ＲＧ３１〜ＲＧ４６の連結軸Ｓを旋回中心として旋回することで、任意の柵外縁の領域ＨＳに区画できる。
【００８８】
また、パネルユニットＰＵ４では、図２０に示すように、高さ調整リング５８，５９を有し、各調整リング５８，５９を各連結軸Ｓ，Ｓ，…外周に装着して、各矩形パネルＰ１５，Ｐ１６，…，Ｐ３２の高さ位置を調整する。
高さ調整リング５８は、円筒に形成され、内外周面に開口する調整ネジ穴５８Ａ、及びボルト５８Ｂを有する。高さ調整リング５８は、地面ＣＨ、及びリング整列群ＲＧ３１，ＲＧ３２，…，ＲＧ４６の地面ＣＨ側にある連結リングＮＡ（又は連結リングＮＢ）間に配置される。
高さ調整リング５９は、円筒に形成され、各連結リングＮＡ，ＮＢ間に配置される。
パネルユニットＰＵ４において、各高さ調整リング５８，５９を各連結軸Ｓ，Ｓ，…の軸心方向Ｇに移動することで、各矩形パネルＰ１５，Ｐ１６，…，Ｐ３２の高さを調整する。
続いて、高さ調整リング５８の調整ネジ穴５８Ａにボルト５８Ｂを螺着して、高さ調整リング５８を連結軸Ｓに固定する。
【００８９】
パネルユニットＰＵ４において、各矩形パネルＰ１５，Ｐ１６は、図２０に示すように、連結長穴２８によって、連結軸６の軸心方向Ｇに傾斜可能である。
これにより、起伏地面（傾斜地面）がある場合等、各矩形パネルＰ１５，Ｐ１６，…，Ｐ３２を各連結軸Ｓの軸心方向Ｇに傾斜することで、起伏地面（傾斜地面）に連続して立設できる。
【００９０】
第１実施形態のパネルユニットＰＵ１において、各連結リングＲＡ，ＲＢは、図２１に示すように、各縦鉄線３，３，…、各横鉄線５，５，…に一体形成して、各矩形パネルＰ１，Ｐ２の格子パネル本体２に保持できる。
図２１において、各連結リングＲＡ，ＲＢは、各縦鉄線３，３，…の両軸端３ａ，３Ｂに一体形成する。各連結リングＲＡ，ＲＡ，…は、各縦鉄線３，３，…の一軸端３ａ側を環状に曲げて連結穴６を形成する。各連結リングＲＢ，ＲＢ，…は、各縦鉄線３，３，…の他軸端３Ｂ側に形成する。連結リングＲＢ，ＲＢ，…は、各縦鉄線３，３，…の他時端３ｂ側を環状に曲げて連結穴６形成し、更に横鉄線５の軸心方向Ｈに曲げて、各連結リングＲＡ，ＲＢを各側端面１Ａ，１Ｂに交互に配列する。
図１９の矩形パネルＰ１，Ｐ２は、第４実施形態のパネルユニットＰ４に適用でき、複数の矩形パネルＰ１，Ｐ１，…、Ｐ２，Ｐ２，…を連続並設して、パネル棚等を構成する。
【００９１】
第３実施形態のパネルユニットＰ３において、複数の矩形パネルＰ１３，Ｐ１４（図１６参照）を連結することで、第２実施形態のパネルユニットＰＵ２におけるパネル直方体１０１を構成できる。
【００９２】
第１及び第３実施形態のパネルユニットＰＵ１，ＰＵ３において、多角形パネルＰ１，Ｐ２，Ｐ１３，Ｐ１４は、矩形パネルに限定されず、Ｎ角形（Ｎ＝３，４，５，６，７…、Ｎ：自然数）のパネル、例えば三角形、台形、五角形、六角形・・・を採用できる。例えば、多角形パネルとして、図２２に示すように、三角形パネルＴＰで構成できる。三角形パネルＴＰは、三角形パネル本体６１を有し、三角形パネル本体６１は複数の側端面１Ａ〜１Ｃで三角形外縁に形成される。各三角形外縁の各側端面１Ａ〜１Ｃは、複数の連結リングＲＡ〜ＲＣ（又はＮＡ〜ＮＣ）を有する。連結リングＲＡ〜ＲＣ（ＮＡ〜ＮＣ）は、図１乃至図４、図１２乃至図１７と同様、三角形外縁の各側端面１Ａ〜１Ｃに沿って複数配列して、三角パネルＴＰの三角形パネル本体６１に保持する。
【００９３】
第１乃至第４実施形態のパネルユニットＰＵ１〜ＰＵ４において、矩形パネルのパネル本体は、格子パネル本体２，２２に限定されず、例えば、金属平板パネル、複合パネル等を採用できる。
複合パネルは、格子パネル本体２，２２の両端面に矩形平板を配置するパネル等である。
【００９４】
第１及び第３実施形態において、一の多角形パネルＰ１，Ｐ１３を三角形パネル、他の一の多角形パネルＰ２，Ｐ１４を矩形パネルで構成できる。
このように、一の多角形パネルＰ１，Ｐ１３、及び他の多角形パネルＰ２，Ｐ１４は、異なる角数のパネル、例えば、三角形パネル及び矩形パネル、台形パネル及び矩形パネル、五角形パネル及び矩形パネル等で構成できる。
また、第１及び第３実施形態のパネルユニットＰＵ１，ＰＵ３において、各矩形パネルＰ１〜Ｐ４を同一角数のパネル、例えば三角形パネル、台形パネル等で構成できる。
【００９５】
第１及び第３実施形態のパネルユニットＹＵ１，ＹＵ３では、一の矩形パネルＰ１（Ｐ３）及び他の一の矩形パネルＰ２（Ｐ４）を連結軸Ｓで旋回自在に連結し、連結軸Ｓを旋回中心として所定角度を隔てて屏風状に立設することで、商品陳列棚等にも適用できる。また、一の矩形パネルＰ１（Ｐ３）及び他の一の矩形パネルＰ２（Ｐ４）を連結軸Ｓで連結した後、連結軸Ｓの両端を上下方向で固定することで、店舗等の間仕切りにも適用できる。
また、第１及び第３実施形態のパネルユニットＰＵ１，ＰＵ２では、緊急避難用の体育館等の施設において、プライベート空間を区画でき、緊急の寝具用ベッドや衣類を掛ける棚にも適用できる。
【産業上の利用可能性】
【００９６】
本発明は、住宅等の建造物、獣類捕獲罠等、又は土地を所定面積に区画する連続パネル柵に好適である。
【符号の説明】
【００９７】
ＰＵ２  パネルユニット
１０１  パネル直方体
１０１Ａ  左側面
１０１Ｂ  右側面
１０１Ｃ  底面
１０１Ｄ  天井面
１０１Ｅ  背面
１Ａ〜１Ｄ  側端面
２３Ａ〜２６Ａ  側端平鋼
ＲＡ〜ＲＤ  連結リング
Ｓ  連結軸
６  連結穴
α１〜α４  穴中心線
Ａａ〜Ｄａ  直線
ＲＧ２〜ＲＧ１７  リング整列群
【図１】
2014097035.tif 000003
【図２】
2014097035.tif 000004
【図３】
2014097035.tif 000005
【図４】
2014097035.tif 000006
【図５】
2014097035.tif 000007
【図６】
2014097035.tif 000008
【図７】
2014097035.tif 000009
【図８】
2014097035.tif 000010
【図９】
2014097035.tif 000011
【図１０】
2014097035.tif 000012
【図１１】
2014097035.tif 000013
【図１２】
2014097035.tif 000014
【図１３】
2014097035.tif 000015
【図１４】
2014097035.tif 000016
【図１５】
2014097035.tif 000017
【図１６】
2014097035.tif 000018
【図１７】
2014097035.tif 000019
【図１８】
2014097035.tif 000020
【図１９】
2014097035.tif 000021
【図２０】
2014097035.tif 000022
【図２１】
2014097035.tif 000023
【図２２】
2014097035.tif 000024